(57)【要約】【課題】検出の安定化を図って検出精度を高めた盗難防止装置を提供すること。【解決手段】可撓性を持つ絶縁フィルム２４上に粘着層２８とともに導電パターン１６、１７、１８を備えて物品８に粘着層により取外し可能に取り付けられ、取外しにより異なる状態を呈するタグ２を備える盗難防止装置である。この盗難防止装置において、絶縁フィルムと導電パターンとの間に不連続な剥離層（剥離インク印刷層２６）を設けている。係る構成によって、剥離層と導電パターンとの境界部分で導電パターンの断裂を生じさせることができ、検出の安定化とともに、異常状態の検出精度を高めている。【選択図】　　　　図１
2004078611.tif 000002
【特許請求の範囲】
【請求項１】
可撓性を持つ絶縁フィルム上に粘着層とともに導電パターンを備えて物品に前記粘着層により取外し可能に取り付けられ、取外しにより異なる状態を呈するタグを備える盗難防止装置であって、
前記絶縁フィルムと前記導電パターンとの間に不連続な剥離層を設けたことを特徴とする盗難防止装置。
【請求項２】
前記剥離層が前記絶縁フィルムの少なくとも一方の端部に形成されたことを特徴とする請求項１記載の盗難防止装置。
【発明の詳細な説明】
【０００１】
【発明の属する技術分野】
本発明は、盗難防止の対象である物品に取外し可能に取り付けられたタグの取外しによる異なる状態を検知し、その状態変化により警報を発する盗難防止装置に関する。
【０００２】
【従来の技術】
従来、物品にタグが取外し可能に取り付けられ、タグの取外しによる異なる状態を電気的に検知し、その状態変化により警報を発する盗難防止装置が知られている。例えば、特許第２７９９１３６号「盗難防止装置」では、物品に取外し可能に取り付けられて取外しに際して異なる状態を取り得るタグ、警報を発する警報手段、タグに接続されて異なる状態を検知し、その状態変化に応じて警報手段を制御する制御手段が備えられ、タグは、接着層と、接着層上に形成される導電層と、導電層上に形成される基材とを有し、物品にタグの接着層面を張り付け、制御手段により導電層の抵抗値を検出して異なる状態になったときに警報手段を駆動させ得るものである。
【０００３】
【発明が解決しようとする課題】
ところで、この盗難防止装置にあっては、物品に取り付けられたシートタグが剥がされたとき、絶縁フィルム上の導電層が剥離して断裂され、その状態変化を電気的に検出して警報手段を駆動させている。しかしながら、シートタグが引き剥がされるとき、粘着層と絶縁フィルムとの間にある導電層が、断裂されずに粘着層又は絶縁フィルムの一方側に貼り付いた状態が維持されると、電気的な状態変化が生じない等、異常時であるにも拘わらず、警報手段が駆動しないという不具合が生じるおそれがあった。
【０００４】
そこで、本発明は、検出の安定化を図って検出精度を高めた盗難防止装置を提供することを目的とする。
【０００５】
【課題を解決するための手段】
係る課題を解決した本発明の構成は次の通りである。
【０００６】
本発明の盗難防止装置は、可撓性を持つ絶縁フィルム２４上に粘着層２８とともに導電パターン１６、１７、１８を備えて物品８に前記粘着層により取外し可能に取り付けられ、取外しにより異なる状態を呈するタグ２を備える盗難防止装置であって、前記絶縁フィルムと前記導電パターンとの間に不連続な剥離層（剥離インク印刷層２６）を設けたことを特徴とする。
【０００７】
このような構成によれば、タグの取外し時、剥離層が絶縁フィルムと導電パターンとの剥離を助長させ、タグが剥がれる際に、導電パターンが剥離層の縁部分で剥離して断裂し、タグの取外し検出の精度を高めることができる。異常時に警報手段が動作しないという不都合を回避できる。
【０００８】
本発明の盗難防止装置において、前記剥離層が前記絶縁フィルムの少なくとも一方の端部に形成されたことを特徴とする。即ち、引き剥がしの開始位置となる絶縁フィルムの端部側に剥離層を備えることで、タグが剥がれる際に、導電パターンが剥離層の縁部分で剥離して断裂し、タグの取外し検出の精度を高めることができる。
【０００９】
【発明の実施の形態】
図１は、本発明の実施の形態に係る盗難防止装置を示している。この盗難防止装置は、可撓性を有するシート状のタグ２、中継部材であるコネクタケース４、制御手段であるとともに警報手段である装置本体６を備えている。
【００１０】
タグ２は、例えば、図２に示すように、ＣＤ等の盗難を防止すべき商品である物品８に取外し可能に取り付けられるとともに、装着部１０によりコネクタケース４に装着され、コネクタケース４から引き出されたケーブル１２がホーンプラグ１４を通して装置本体６に接続される。
【００１１】
タグ２には、物品８からの取外し、即ち、剥離によって異なる状態を呈する取外し検知手段として、銀カーボンインクの印刷等で形成された導体層からなる導電パターン１６、１８が設置されている。各導電パターン１６、１８には、複数の折曲部２０が設けられている。また、タグ２にはコネクタケース４との接続を図るための装着部１０が形成され、この装着部１０に装着されるコネクタケース４との離脱を阻止する拘止突部２２が形成されている。
【００１２】
このタグ２は、例えば、図３に示すように、絶縁材料で形成された可撓性を有する絶縁フィルム２４の表面に剥離可能な複数の剥離層として、絶縁材からなる剥離インク印刷層２６が任意の間隔で不連続的に設置され、これら剥離インク印刷層２６に跨がって導体又は抵抗体からなる導電パターンとして、この実施の形態では導体からなる導電パターン１６、１８が設置されている。そして、これら導電パターン１６、１８の表面を覆って粘着層２８が形成されている。従って、タグ２は粘着層２８を以て物品８に取外し可能に取り付けられる。
【００１３】
この実施の形態では、コネクタケース４はタグ２と装置本体６との間に設置される例えば、合成樹脂製の筐体であって、その内部には抵抗器３０が設置されているとともに、この抵抗器３０が導電パターン１６、１８に接続されたケーブル１２を介して装置本体６との接続手段であるホーンプラグ１４に接続されている。
【００１４】
そして、装置本体６にはタグ２側に発生する状態変化を検出し、警報信号を発生する制御装置３２が設置され、この制御装置３２には例えば、マイクロコンピュータが用いられ、初期状態を記憶する記憶手段３４が設置されているとともに、警報信号によって動作する警報手段として警報ブザーや警報ランプからなる警報器３６が接続されている。また、この装置本体６には一定の電圧Ｖを発生する電源装置３８とともに抵抗器４０が設置されており、この抵抗器４０と接地点（ＧＮＤ）との間にはホーンプラグ１４、ケーブル１２及び導電パターン１６、１８を介して抵抗器３０が接続され、これら抵抗器３０、４０の直列回路には電源装置３８から一定の電圧Ｖが加えられている。抵抗器４０と抵抗器３０との分圧点ｎに発生する電圧Ｖｎが制御装置３２のＡ／Ｄコンバータ入力部に加えられ、ディジタル値に変換される。
【００１５】
このような構成において、動作を説明すると、正常時には、図４（Ａ）の状態となる。電源装置３８から印加される電圧をＶ、抵抗器４０、３０の抵抗値をＲとし、ケーブル１２及び導電パターン１６、１８の各抵抗値ｒをｒ≪Ｒとし、抵抗値Ｒに対して無視できる程度とすれば、分圧点ｎを通して制御装置３２に加えられる検出電圧Ｖｎは、
Ｖｎ＝Ｖ×（Ｒ／２Ｒ）＝Ｖ／２　　　　　　　・・・（１）
となる。例えば、Ｒ＝２．２〔ｋΩ〕、Ｖ＝３．３〔ボルト〕とすると、Ｖｎ＝１．６５〔ボルト〕となる。
【００１６】
そこで、初期設定では、装置本体６にコネクタケース４を介してタグ２が接続された時点で、分圧点ｎに発生する検出電圧Ｖｎを取り込み、初期状態の電圧値をディジタル値に変換してタグ２毎に記憶手段３４に記憶する。そして、正常時の基準電圧範囲として初期値Ｖｒに正常と見做し得る許容電圧変動幅±ΔＶ（例えば、±０．４〔ボルト〕以内）を加えた電圧範囲（Ｖｒ±ΔＶ）が設定される。この電圧範囲（Ｖｒ±ΔＶ）はディジタル値で記憶手段３４に記憶される。そして、検出電圧Ｖｎがこの電圧範囲（Ｖｒ±ΔＶ）を逸脱したとき、異常と判定し、警報信号を発する。この場合、電圧範囲（Ｖｒ±ΔＶ）は、複数のタグ２を使用する場合、各タグ２毎に個別に定まる値である。
【００１７】
そして、異常時、ケーブル１２が切断されたり、タグ２の取外しによって導電パターン１６、１８の一部又は全部が破断（断線）すると、例えば、図４（Ｂ）のように、抵抗器３０が離脱することになる。このとき、分圧点ｎと接地点（ＧＮＤ）との間の抵抗値Ｒ＝無限大となり、分圧点ｎを通して制御装置３２に加えられる検出電圧Ｖｎは電源装置３８の電圧Ｖとなる。即ち、Ｖｎ＝Ｖであり、Ｖ＝３．３〔ボルト〕の場合には、Ｖｎ＝３．３〔ボルト〕となる。
【００１８】
また、異常時、タグ２の取外しや外部からの操作等により、導電パターン１６、１８が短絡すると、例えば、図４（Ｃ）のように、抵抗器３０が短絡されて、分圧点ｎと接地点（ＧＮＤ）との間の抵抗値Ｒ＝零となり、分圧点ｎを通して制御装置３２に加えられる検出電圧Ｖｎは零となる。即ち、Ｖｎ＝０である。
【００１９】
このように、正常時にはＶｎ＝Ｖ／２〔ボルト〕、異常時には、Ｖｎ＝Ｖ〔ボルト〕か、Ｖｎ＝０〔ボルト〕となるので、導電パターン１６、１８間の抵抗器３０の抵抗値Ｒを監視し、状態変化を表す分圧点ｎの検出電圧Ｖｎの値により、制御装置３２で正常か異常かを判別することができる。また、これら以外に、検出電圧Ｖｎが初期値Ｖｒと許容電圧変動幅±ΔＶとの加算値である電圧範囲（Ｖｒ±ΔＶ）を逸脱して変動した場合にも異常状態として検出される。
【００２０】
そして、これら異常時には、制御装置３２から警報信号が発せられ、警報器３６は警報信号を受けて警報を発し、異常事態を告知することができる。
【００２１】
この場合、導電パターン１６、１８と絶縁フィルム２４との間に複数の剥離インク印刷層２６が任意の間隔を設けて不連続に設置されているので、導電パターン１６、１８は剥離インク印刷層２６に接着され、物品８に取り付けられているタグ２が引き剥がされるとき、導電パターン１６、１８が剥離インク印刷層２６の切り目部分（即ち、間隔部分）で容易に断裂し、図４（Ｂ）に示す状態変化を発生させ、異常状態の検出精度を高めることができる。
【００２２】
また、絶縁フィルム２４に周回状に形成された導電パターン１６、１８は、複数の折曲部２０を有するとともに、タグ２の先端側に折曲部２０を有するので、取外し時の応力を受けて断裂し易く、異常状態の検出精度が高められる。
【００２３】
そして、タグ２の製造方法としては、例えば、絶縁フィルム２４上に剥離インク印刷層２６を印刷によって不連続に形成し、その上に導電パターン１６、１８を印刷により形成した後、剥離インク印刷層２６及び導電パターン１６、１８を覆って粘着層２８が形成されている。このような製造方法によれば、均一なタグ２を製造することができる。
【００２４】
また、このようなタグ２によれば、粘着層２８が劣化した場合、コネクタケース４から劣化したタグ２を図示しないロック機構によるロックを解除して取り外すことにより容易に交換することができ、安定した検出精度を維持することができる。
【００２５】
なお、タグ２の導電パターン１６、１８は、例えば、図５に示すように、導電パターン１７で構成して抵抗体とすれば、コネクタケース４から抵抗器３０を除いて構成でき、導電パターン１７が持つ抵抗体の抵抗値の変化を監視することにより、タグ２の剥離等の異常時を電気的な状態変化で検出することができる。
【００２６】
また、導電パターン１６、１７、１８は、タグ２の長手方向に周回する形態としたが、タグ２の幅方向にジクザク状に屈曲する形態としてもよい。
【００２７】
【発明の効果】
以上説明したように、本発明によれば、次の効果が得られる。
ａ　検出の安定化とともに、異常状態の検出精度を高めることができる。
ｂ　タグが剥がされた際には、部分的、不連続的に設けられた剥離層と導電パターンとの境界部分で確実に剥離され、導電パターンの断裂を生じさせることができるので、異常時に警報手段の不作動等の不都合を防止でき、動作の信頼性を高めることができる。
ｃ　剥離層を絶縁フィルムの少なくとも一方の端部に形成すれば、剥離が絶縁フィルムの端部側で生じ易いので、それに対応して導電パターンの断裂性を高めることができ、検出精度を高め、異常時、警報手段の不作動等の不都合を防止できる。
【図面の簡単な説明】
【図１】本発明の実施の形態に係る盗難防止装置の概要を示す回路図である。
【図２】コネクタケースとタグとの装着状態及び使用状態を示す斜視図である。
【図３】タグの構造を示す断面図である。
【図４】盗難防止装置の動作を示す回路図であって、（Ａ）は正常時を示す回路図、（Ｂ）は破断（断線）時の動作を示す回路図、（Ｃ）は短絡時の動作を示す回路図である。
【図５】他の実施の形態に係るタグを示す平面図である。
【符号の説明】
２　タグ
８　物品
１６、１７、１８　導電パターン
２４　絶縁フィルム
２６　剥離インク印刷層（剥離層）
２８　粘着層
【図１】
2004078611.tif 000003
【図２】
2004078611.tif 000004
【図３】
2004078611.tif 000005
【図４】
2004078611.tif 000006
【図５】
2004078611.tif 000007